(57)【要約】【課題】動作に必要な電力をスマートフォンに代表される主装置から受け取りつつも、下り２本のサウンド信号ライン（７１，７２）の双方を電力伝送以外の用途に自由に活用すると共に、同時に、上り１本のサウンド信号ライン（８）も活用可能とすることで、より高機能な周辺機能を実現すること。【解決手段】４極フォーンプラグ（Ｐ）の第３のプラグ電極（Ｐ３）及び第４のプラグ電極（Ｐ４）を介して主装置側から供給されるバイアス電圧を利用して動作し、第１のプラグ電極（Ｐ１）、及び／又は、第２のプラグ電極（Ｐ２）へ通ずるサウンド信号入力ライン（７１，７２）、及び／又は、第３のプラグ電極（Ｐ３）に通ずるサウンド信号出力ライン（８）を利用することにより、周辺装置としての所定の機能を実現する周辺機能実現部（３４）と、を包含する。【選択図】図６
2017225065.tif 000002
【特許請求の範囲】
【請求項１】
スマートフォンや家庭用ゲーム機などの４極フォーンジャックを有する電子機器を主装置としたとき、当該主装置から電源供給されて動作する装置であって、
第１のサウンド信号を受け取るための第1のプラグ電極と、
第２のサウンド信号を受け取るための第２のプラグ電極と、
いずれか一方が、バイアス電圧の受け取りと第３のサウンド信号の送り出しのための共用プラグ電極となり、他方がグランド電位を受け取るためのプラグ電極となる、第３及び第４の２つのプラグ電極と、を有する４極フォーンプラグと、
前記４極フォーンプラグの前記第３及び第４のプラグ電極を介して前記主装置側から供給される前記バイアス電圧を利用して動作し、前記第１のプラグ電極、及び／又は、前記第２のプラグ電極へ通ずるサウンド信号入力ライン、及び／又は、前記共用プラグ電極に通ずるサウンド信号出力ラインを利用することにより、前記周辺装置としての所定の機能を実現する周辺機能実現部と、を包含するバッテリレス周辺装置。
【請求項２】
前記周辺機能実現部にて実現されるべき前記周辺装置としての所定の機能が、サウンドの強弱に応じて点滅するランプを有するイヤフォーン装置としての機能である、請求項１に記載のバッテリレス周辺装置。
【請求項３】
前記第１のプラグ電極に通ずるサウンド信号入力ラインから受け取った右側のサウンド信号で駆動される右側のイヤフォーンスピーカと、
前記第２のプラグ電極に通ずるサウンド信号入力ラインから受け取った左側のサウンド信号で駆動される左側のイヤフォーンスピーカとを含み、さらに
前記周辺機能実現部が、
前記第１のプラグ電極に通ずるサウンド信号入力ラインより抽出された右側のサウンド信号、及び／又は、前記第２のプラグ電極に通ずるサウンド信号入力ラインより抽出された左側のサウンド信号を増幅する増幅部と、
前記増幅部にて増幅されたサウンド信号に基づいて点滅駆動され、左右のイヤフォーンスピーカのそれぞれに付設された左右のランプとを含む、請求項２に記載のバッテリレス周辺装置。
【請求項４】
前記４極フォーンプラグが突き出たケースを有し、前記電源生成部及び周辺機能実現部は前記ケースに収容され、かつ前記左右のランプに至る駆動信号ラインは、前記左右のサウンド信号ラインと共に、前記ケースから左右のイヤフォーンスピーカへと至る左右のイヤフォーンコードに含まれている、請求項３に記載のバッテリレス周辺装置。
【請求項５】
前記周辺機能実現部にて実現されるべき前記周辺装置としての所定の機能が、データの読み書きが可能なパッケージメモリ装置としての機能である、請求項１に記載のバッテリレス周辺装置。
【請求項６】
前記周辺機能実現部が、
不揮発性のメモリ部と、
前記第１のプラグ電極、及び／又は、前記第２のプラグ電極に通ずるサウンド信号入力ラインを介して到来するサウンド信号を受信・復調することにより、メモリの書込指令及び書込対象データが到来したと判定されるときには、前記書込指令に係る書込対象データを前記メモリ部に書き込む書込制御部と、
前記第１のプラグ電極、及び／又は、前記第２のプラグ電極に通ずるサウンド信号入力ライン介して到来するサウンド信号を受信・復調することにより、メモリの読出指令が到来したと判定されるときには、前記読出指令に係る読出対象データを前記メモリ部から読み出し、所定の変調処理を行ったのち、前記共用プラグ電極に通ずるサウンド信号出力ラインへと送信する読出制御部と、を含む請求項５に記載のバッテリレス周辺装置。
【請求項７】
前記周辺機能実現部にて実現されるべき前記周辺装置としての所定の機能が、無線式カードに対する読み書きが可能な無線式カード・リーダ／ライタ装置としての機能である、請求項１に記載のバッテリレス周辺装置。
【請求項８】
前記周辺機能実現部が、
無線式送受信部と、
前記無線式送受信部を介して無線式カードの存在が判定されるときには、当該無線式カードから読み取られたデータに対して所定の変調処理を行ったのち、前記共用プラグ電極に通ずるサウンド信号出力ラインへと送り出す読出制御部と、
前記第１のプラグ電極、及び／又は、前記第２のプラグ電極に通ずるサウンド信号入力ラインを介して受け取ったサウンド信号を受信・復調することにより、前記無線式カードの書込指令及び書込対象データが到来したと判定されるときには、前記書込指令に係る書込対象データを前記無線式カードに書き込む書込制御部と、を含む請求項７に記載のバッテリレス周辺装置。
【請求項９】
前記第３及び第４のプラグ電極と前記周辺機能実現部との間には、
前記周辺機能実現部の高電位側入力端を前記第３のプラグ電極へ、低電位側入力端を前記第４のプラグ電極へ、それぞれ導通させる第１の状態と、
前記周辺機能実現部の高電位側入力端を前記第４のプラグ電極へ、低電位側入力端を前記第３のプラグ電極へ、それぞれ導通させる第２の状態とを、
選択可能な切替部を有する、請求項１〜８のいずれかに記載のバッテリレス周辺装置。
【請求項１０】
前記切替部は、
前記第３のプラグ電極が高側電位、前記第４のプラグ電極が低側電位のとき、前記周辺機能実現部の高電位側入力端を前記第３のプラグ電極へ、低電位側入力端を前記第４のプラグ電極へ、それぞれ導通させる第１の状態と、
前記第３のプラグ電極が低側電位、前記第４のプラグ電極が高側電位のとき、前記周辺機能実現部の高電位側入力端を前記第４のプラグ電極へ、低電位側入力端を前記第３のプラグ電極へ、それぞれ導通させる第２の状態とを、
自動選択可能とされている、請求項９に記載のバッテリレス周辺装置。
【請求項１１】
前記切替部が、ダイオードブリッジ回路からなる、請求項１０に記載のバッテリレス周辺装置。
【請求項１２】
スマートフォンや家庭用ゲーム機などの４極フォーンジャックを有する主装置と、請求項５に記載の４極フォーンプラグを有するバッテリレス周辺装置とを接続してなるシステムであって、
前記主装置には、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込制御部と、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用ジャック電極から読み込んで復調することにより、データ読出処理を実現する読出制御部と、が含まれているパッケージメモリ装置の書込／読出システム。
【請求項１３】
スマートフォンや家庭用ゲーム機などの４極フォーンジャックを有する主装置と、請求項８に記載の４極フォーンプラグを有するバッテリレス周辺装置とを接続してなるシステムであって、
前記主装置には、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込制御部と、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これをバイアス電圧の送り出しとサウンド信号の受け取りのための共用ジャック電極から読み込んで復調することにより、データ読出処理を実現する読出制御部と、が含まれている無線式カード・リーダ／ライタ装置の書込／読出システム。
【請求項１４】
請求項５に記載の４極フォーンプラグを有するバッテリレス周辺装置が接続された、スマートフォンや家庭用ゲーム機などの４極フォーンジャックを有する主装置の制御方法であって、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込ステップと、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用ジャック電極から読み込んで復調することにより、データ読出処理を実現する読出ステップと、を含む４極フォーンジャックを有する主装置の制御方法。
【請求項１５】
請求項８に記載の４極フォーンプラグを有するバッテリレス周辺装置が接続された、スマートフォンや家庭用ゲーム機などの４極フォーンジャックを有する主装置の制御方法であって、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込ステップと、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これをバイアス電圧の送り出しとサウンド信号の受け取りのための共用ジャック電極から読み込んで復調することにより、データ読出処理を実現する読出ステップと、を含む４極フォーンジャックを有する主装置の制御方法。
【請求項１６】
請求項５に記載の４極フォーンプラグを有するバッテリレス周辺装置が接続された、スマートフォンや家庭用ゲーム機などの４極フォーンジャックを有する主装置を、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込制御手段と、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用のジャック電極から読み込んで復調することにより、データ読出処理を実現する読出制御手段として機能させるためのコンピュータプログラム。
【請求項１７】
請求項８に記載の４極フォーンプラグを有するバッテリレス周辺装置が接続された、スマートフォンや家庭用ゲーム機などの４極フォーンジャックを有する主装置を、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込制御手段と、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これをバイアス電圧の送り出しとサウンド信号の受け取りのための共用ジャック電極から読み込んで復調することにより、データ読出処理を実現する読出制御手段として機能させるためのコンピュータプログラム。
【発明の詳細な説明】
【技術分野】
【０００１】
この発明は、スマートフォンなどの４極フォーンジャックを有する電子機器を主装置としたとき、当該主装置から電力供給されて動作するバッテリレス周辺装置に関する。
【背景技術】
【０００２】
自らが備える４極フォーンプラグを、スマートフォン側の４極フォーンジャックに接続することで、スマートフォン側から電力供給を受けて動作する所謂バッテリレス周辺装置は、種々知られている（例えば、特許文献１、２参照）。
【０００３】
スマートフォン側の４極フォーンジャックには、右側のイヤフォーンスピーカへのサウンド信号を出力するための第１のジャック電極と、左側のイヤフォーンスピーカへのサウンド信号を出力するための第２のジャック電極と、コンデンサマイク（正確には、インピーダンス変換用のＦＥＴを内蔵する２線式のエレクトレットコンデンサマイクユニット：ＥＣＭユニット）へのバイアス電圧の供給と当該コンデンサマイクからのサウンド信号の入力とに共用される第３のジャック電極と、グランド電位を提供するための第４のジャック電極とが存在する。
【０００４】
一方、バッテリレス周辺装置側には、上述の第１のジャック電極、第２のジャック電極、第３のジャック電極、及び第４のジャック電極のそれぞれに対応して、第１のプラグ電極、第２のプラグ電極、第３のプラグ電極、及び第４のプラグ電極が存在する。
【０００５】
そのため、スマートフォンとバッテリレス周辺装置との間には、下り２本のサウンド信号ライン（第１のジャック電極と第１のプラグ電極を経由する第１のサウンド信号ライン、及び第２のジャック電極と第２のプラグ電極を経由する第２のサウンド信号ライン）と上り１本のサウンド信号ライン（第３のジャック電極と第３のプラグ電極を経由する第３のサウンド信号ライン）とが存在する。
【０００６】
スマートフォンからバッテリレス周辺装置への電力供給は、従来、上述する下り２本のサウンド信号ラインのいずれか１本を介して行われる。これは、具体的には、スマートフォン内蔵プロセッサ側の該当するアナログ出力ポートから第１又は第２のジャック電極のいずれか１つへと、周波数及び振幅が一定の正弦波からなるサウンド信号を送出することで行われる。このような信号形態のサウンド信号によれば、バッテリレス周辺装置の側では、整流回路及び平滑回路と言った簡単な受動回路を用意するだけで、当該サウンド信号に基づいて、電圧の安定した直流電源を生成できるからである。
【先行技術文献】
【特許文献】
【０００７】
【特許文献１】特開２０１４−０３６３３２号公報
【特許文献２】特許第５５５２１９１号公報
【発明の概要】
【発明が解決しようとする課題】
【０００８】
上述のように、スマートフォンからバッテリレス周辺装置へと電力供給を行おうとすると、下り２本のサウンド信号ラインのいずれか１本は、電力供給のために占有されてしまう。このことは、スマートフォンとバッテリレス周辺装置との間には、下り２本のサウンド信号ラインが存在するとはいえ、そのうちの１本は電力供給のために占有されてしまうため、スマートフォン側からバッテリレス周辺装置側へと何らかの信号（例えば、アナログサウンド信号又はデジタルデータ信号）を送り込むためには、１本のサウンド信号ラインしか残されていないことを意味している。
【０００９】
そのため、バッテリレス周辺装置において、例えば、イヤホンスピーカでサウンドを再生可能としつつも、なんらかの付加的機能（例えば、サウンドの強弱に応じた光の点滅等）を実現しようとすると、下りのサウンド信号ラインは１本しか使用できないため、左右いずれかのチャネルのサウンドはイヤホンスピーカから再生することができず、ステレオサウンド再生を断念せざるを得ない。
【００１０】
また、バッテリレス周辺装置において、例えば、スマートフォンから伝送されてくる一連のデジタルデータを受け取りながら、なんらかの付加的機能（例えば、それらのデータをメモリに書き込む機能やカードに書き込む機能等）を実現しようとすると、この種の周辺装置におけるデータ伝送には、通常、比較的低周波数（可聴周波数又はその前後程度）の搬送波を利用した変調方式（例えば、振幅変調方式（ＡＳＫ）、周波数変調方式（ＦＳＫ）、位相変調方式（ＰＳＫ）等）が採用されることから、１本の下りのサウンド信号ラインだけでは、必要な伝送速度を充分に確保することができない場合もある。
【００１１】
この発明は、上述の技術的背景に鑑みてなされたものであり、その目的とするところは、動作に必要な電力をスマートフォンに代表される主装置から受け取りつつも、下り２本のサウンド信号ラインの双方を電力伝送以外の用途に自由に活用すると共に、同時に、上り１本のサウンド信号ラインをも活用可能とすることで、より高機能な周辺機能を実現可能とした、４極フォーンジャック付きのバッテリレス周辺装置を提供することにある。
【００１２】
この発明のさらに他の目的並びに作用効果について、明細書の以下の記述を参照することにより、当業者であれば容易に理解されるであろう。
【課題を解決するための手段】
【００１３】
上述の技術的課題は、以下の構成を有するバッテリレス周辺装置により、解決することができると考えられる。
すなわち、本発明のバッテリレス周辺装置は、スマートフォンや家庭用ゲーム機などの４極フォーンジャックを有する電子機器を主装置としたとき、当該主装置から電源供給されて動作する装置であって、
第１のサウンド信号を受け取るための第1のプラグ電極と、
第２のサウンド信号を受け取るための第２のプラグ電極と、
いずれか一方が、バイアス電圧の受け取りと第３のサウンド信号の送り出しのための共用プラグ電極となり、他方がグランド電位を受け取るためのプラグ電極となる、第３及び第４の２つのプラグ電極と、を有する４極フォーンプラグと、
前記４極フォーンプラグの前記第３及び第４のプラグ電極を介して前記主装置側から供給される前記バイアス電圧を利用して動作し、前記第１のプラグ電極、及び／又は、前記第２のプラグ電極へ通ずるサウンド信号入力ライン、及び／又は、前記共用プラグ電極に通ずるサウンド信号出力ラインを利用することにより、前記周辺装置としての所定の機能を実現する周辺機能実現部と、を包含する。
【００１４】
このような構成によれば、周辺機能実現部は、前記４極フォーンプラグの前記第３及び第４のプラグ電極を介して前記主装置側から供給される前記バイアス電圧を利用して動作するものであるから、前記第１のプラグ電極へ通ずるサウンド信号入力ラインと前記第２のプラグ電極へ通ずるサウンド信号入力ラインとからなる下り２本のサウンド信号ラインは、電力伝送以外の用途に自由に活用可能となる。
【００１５】
また、前記共用プラグ電極へ通ずるサウンド信号出力ラインは、本来、コンデンサマイクへのバイアス電圧の供給と前記コンデンサマイクからのサウンド信号の入力とに共用されるものであるから、主装置側から電力を受電しつつも、同じサウンド信号出力ラインを利用して、主装置側へとデータを伝送することもできる。
【００１６】
加えて、周辺機能実現部は、前記主装置側から供給される前記バイアス電圧を利用して動作し、前記第１のプラグ電極、及び／又は、前記第２のプラグ電極へ通ずるサウンド信号入力ライン、及び／又は、前記第３のプラグ電極に通ずるサウンド信号出力ラインを利用することにより、前記周辺装置としての所定の機能を実現する。
【００１７】
そのため、本発明によれば、動作に必要な電力をスマートフォンに代表される主装置から受け取りつつも、下り２本のサウンド信号ラインの双方を電力伝送以外の用途に自由に活用すると共に、必要により、上り１本のサウンド信号ラインをも活用可能とすることで、より機能性の改善された周辺装置を実現可能とした、４極フォーンジャック付きのバッテリレス周辺装置を提供することができる。
【００１８】
本発明の好ましい実施の態様によれば、前記周辺機能実現部にて実現されるべき前記周辺装置としての所定の機能が、サウンドの強弱に応じて点滅するランプを有するイヤフォーン装置としての機能であってもよい。
【００１９】
このとき、前記イヤフォーン装置は、
前記第１のプラグ電極に通ずるサウンド信号入力ラインを介して受け取った右側のサウンド信号で駆動される右側のイヤフォーンスピーカと、
前記第２のプラグ電極に通ずるサウンド信号入力ラインを介して受け取った左側のサウンド信号で駆動される左側のイヤフォーンスピーカとを含み、さらに
前記周辺機能実現部が、
前記第１のプラグ電極に通ずるサウンド信号入力ラインより抽出された右側のサウンド信号、及び／又は、前記第２のプラグ電極に通ずるサウンド信号入力ラインより抽出された左側のサウンド信号を増幅する増幅部と、
前記増幅部にて増幅されたサウンド信号に基づいて点滅駆動され、左右のイヤフォーンスピーカのそれぞれに付設された左右のランプとを含む、ものであってもよい。
このような構成によれば、右側及び左側のイヤフォーンスピーカを用いてステレオサウンドを楽しむことができると共に、それらのスピーカに付設されたランプをサウンドの強弱に応じて点滅させることで、意匠性乃至ファッション性にも優れたイヤフォーン装置を実現することができる。
【００２０】
このとき、前記４極フォーンプラグが突き出たケースを有し、前記周辺機能実現部は前記ケースに収容され、かつ前記左右のランプに至る駆動信号ラインは、前記左右のサウンド信号ラインと共に、前記ケースから左右のイヤフォーンスピーカへと至る左右のイヤフォーンコードに含まれている、ものであってもよい。
【００２１】
このような構成によれば、前記周辺機能実現部は前記ケースに収容され、かつ前記左右のランプに至る駆動信号ラインは、前記左右のサウンド信号ラインと共に、前記ケースから左右のイヤフォーンスピーカへと至る左右のイヤフォーンコードに含まれることで、イヤフォーン装置のコンパクト化が可能となる。
【００２２】
本発明の好ましい実施の一態様によれば、前記周辺機能実現部にて実現されるべき前記周辺装置としての所定の機能が、データの読み書きが可能なパッケージメモリ装置としての機能であってもよい。
【００２３】
このとき、前記周辺機能実現部が、
不揮発性のメモリ部と、
前記第１のプラグ電極、及び／又は、前記第２のプラグ電極へ通ずるサウンド信号入力ラインを介して到来するサウンド信号を受信・復調することにより、メモリの書込指令及び書込対象データが到来したと判定されるときには、前記書込指令に係る書込対象データを前記メモリ部に書き込む書込制御部と、
前記第１のプラグ電極、及び／又は、前記第２のプラグ電極へ通ずるサウンド信号入力ラインを介して到来するサウンド信号を受信・復調することにより、メモリの読出指令が到来したと判定されるときには、前記読出指令に係る読出対象データを前記メモリ部から読み出し、所定の変調処理を行ったのち、前記共用プラグ電極に通ずるサウンド信号出力ラインへと送信する読出制御部と、を含むものであってもよい。
【００２４】
このような構成によれば、スマートフォンに代表される主装置からの指令に応答して、不揮発性メモリ部に対して、書込処理及び読出処理を実現することができると共に、特に、書込処理については、必要により、下り２本のサウンド信号ラインの双方を使用することにより、上りの２倍の伝送速度を確保することで、高速なメモリ書込処理を実現することができる。
【００２５】
本発明の好ましい実施の一態様によれば、前記周辺機能実現部にて実現されるべき前記周辺装置としての所定の機能が、無線式カードに対する読み書きが可能な無線式カード・リーダ／ライタ装置としての機能であってもよい。
【００２６】
このとき、前記周辺機能実現部が、
無線式送受信部と、
前記無線式送受信部を介して無線式カードの存在が判定されるときには、当該無線式カードから読み取られたデータに対して所定の変調処理を行ったのち、前記第３のプラグ電極に通ずるサウンド信号出力ラインへと送信する読出制御部と、
前記第１のプラグ電極、及び／又は、前記第２のプラグ電極へ通ずるサウンド信号入力ラインを介して到来するサウンド信号を受信・復調することにより、前記無線式カードの書込指令及び書込対象データが到来したと判定されるときには、前記書込指令に係る書込対象データを前記無線式カードに書き込む書込制御部と、を含むものであってもよい。
このような構成によれば、スマートフォンに代表される主装置からの指令に応答して、無線式カードに対して、書込処理及び読出処理を実現することができると共に、特に、書込処理については、必要により、下り２本のサウンド信号ラインの双方を使用することにより、上りの２倍の伝送速度を確保することで、高速なカード書込処理を実現することができる。
【００２７】
本発明の好ましい実施の態様においては、
前記第３及び第４のプラグ電極と前記周辺機能実現部との間には、
前記周辺機能実現部の高電位側入力端を前記第３のプラグ電極へ、低電位側入力端を前記第４のプラグ電極へ、それぞれ導通させる第１の状態と、
前記周辺機能実現部の高電位側入力端を前記第４のプラグ電極へ、低電位側入力端を前記第３のプラグ電極へ、それぞれ導通させる第２の状態とを、
選択可能な切替部を有する、ものであってもよい。
【００２８】
このような構成によれば、前記切替部を第１の状態と第２の状態とに切り替えることにより、ｉＰｈｏｎｅ（登録商標）等に採用されるＣＴＩＡ規格の４極フォーンジャックとＡｎｄｒｏｉｄ（登録商標）対応のスマートフォン（例えば、Ｇａｌａｘｙ（登録商標））に採用されるＯＭＰＴ規格の４極フォーンジャックとのいずれにも適用して、主装置側から電力供給を受けることができる。
【００２９】
このとき、前記切替部は、
前記第３のプラグ電極が高側電位、前記第４のプラグ電極が低側電位のとき、前記周辺機能実現部の高電位側入力端を前記第３のプラグ電極へ、低電位側入力端を前記第４のプラグ電極へ、それぞれ導通させる第１の状態と、
前記第３のプラグ電極が低側電位、前記第４のプラグ電極が高側電位のとき、前記周辺機能実現部の高電位側入力端を前記第４のプラグ電極へ、低電位側入力端を前記第３のプラグ電極へ、それぞれ導通させる第２の状態とを、
自動選択可能とされている、ものであってもよい。
【００３０】
このような構成によれば、上述の切替部は、第３のプラグ電極と第４のプラグ電極の電位高低の関係に応じて自動的に切り替わる結果、前記周辺機能実現部の高側入力端には高側電位がまた低側入力端には低側電位が、常に、現れる。そのため、主装置側の４極フォーンプラグの規格がＣＴＩＡ規格かＯＭＰＴ規格かを意識する必要がない。
【００３１】
このとき、前記切替部が、ダイオードブリッジ回路からなるものであれば、切替部の構成を簡素化して、コストダウンを図ることができる。
【００３２】
別の一面から見た本発明は、スマートフォンや家庭用ゲーム機などの４極フォーンジャックを有する主装置と、先述のパッケージメモリ装置として機能する４極フォーンプラグを有するバッテリレス周辺装置とを接続してなるシステムとして把握することもできる。
【００３３】
このとき、前記主装置には、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込制御部と、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用ジャック電極から読み込んで復調することにより、データ読出処理を実現する読出制御部と、が含まれている、ものであってもよい。
【００３４】
別の一面から見た本発明は、スマートフォンや家庭用ゲーム機などの４極フォーンジャックを有する主装置と、先述の無線式カード・リーダ／ライタ装置として機能する４極フォーンプラグを有するバッテリレス周辺装置とを接続してなるシステムとして把握することもできる。
【００３５】
このとき、前記主装置には、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込制御部と、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これをバイアス電圧の送り出しとサウンド信号の受け取りのための共用ジャック電極から読み込んで復調することにより、データ読出処理を実現する読出制御部と、が含まれていてもよい。
【００３６】
別の一面から見た本発明は、先述のパッケージメモリ装置として機能しかつ４極フォーンプラグを有するバッテリレス周辺装置が接続された、スマートフォンや家庭用ゲーム機などの４極フォーンジャックを有する主装置の制御方法として把握することもできる。
【００３７】
そして、この方法は、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込ステップと、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用ジャック電極から読み込んで復調することにより、データ読出処理を実現する読出ステップと、を含むものであってもよい。
【００３８】
別の一面から見た本発明は、先述の無線式カード・リーダ／ライタ装置として機能しかつ４極フォーンプラグを有するバッテリレス周辺装置が接続された、スマートフォンや家庭用ゲーム機などの４極フォーンジャックを有する主装置の制御方法として把握することもできる。
【００３９】
そして、この方法は、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込ステップと、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これをバイアス電圧の送り出しとサウンド信号の受け取りのための共用ジャック電極から読み込んで復調することにより、データ読出処理を実現する読出ステップと、を含むものであってもよい。
【００４０】
別の一面から見た本発明は、先述のパッケージメモリ装置として機能しかつ４極フォーンプラグを有するバッテリレス周辺装置が接続された、スマートフォンや家庭用ゲーム機などの４極フォーンジャックを有する主装置を、
書込指令及び書込対象データにより所定の変調がかけられたサウンド信号を、第１のジャック電極、及び／又は、第２のジャック電極へと送り出すことにより、前記バッテリレス周辺装置を構成するパッケージメモリ装置の内蔵メモリへのデータ書込処理を実現する書込制御手段と、
読出指令により所定の変調がかけられたサウンド信号を、第１のジャック電極、及び／又は、第２のジャック電極へと送り出すことにより、前記バッテリレス周辺装置を構成するパッケージメモリ装置の内蔵メモリからデータを読み出させ、これをバイアス電圧の送り出しとサウンド信号の受け取りのための共用ジャック電極から読み込んで復調することにより、データ読出処理を実現する読出制御手段として機能させるためのコンピュータプログラムとしても把握することができる。
【００４１】
さらに、別の一面から見た本発明は、先述の無線式カード・リーダ／ライタ装置として機能しかつ４極フォーンプラグを有するバッテリレス周辺装置が接続された、スマートフォンや家庭用ゲーム機などの４極フォーンジャックを有する主装置を、
書込指令及び書込対象データにより所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて、無線式カードへのデータ書込処理を実現する書込制御手段と、
読出指令により所定の変調がかけられたサウンド信号を、第１のジャック電極、及び／又は、第２のジャック電極へと送り出すことにより、前記バッテリレス周辺装置を構成する無線式カード・リーダ／ライタ装置を動作させて無線式カードからデータを読み出させ、これを第３のジャック電極から読み込んで復調することにより、データ読出処理を実現する読出制御手段として機能させるためのコンピュータプログラムとしても把握することができる。
【発明の効果】
【００４２】
本発明によれば、動作に必要な電力をスマートフォンに代表される主装置から受け取りつつも、下り２本のサウンド信号ラインの双方を電力伝送以外の用途に自由に活用すると共に、必要により、上り１本のサウンド信号ラインも活用可能とすることで、より機能性の改善された周辺装置を実現可能とした、４極フォーンジャック付きのバッテリレス周辺装置を提供することができる。
【図面の簡単な説明】
【００４３】
【図１】図１は、スマートフォン側のサウンド入出力回路の概略構成図である。
【図２】図２は、点滅ランプ付きイヤフォン装置の外観図である。
【図３】図３は、点滅ランプ付きイヤフォン装置の回路図である。
【図４】図４は、スマートフォン側の楽音再生処理を示す概略フローチャートである。
【図５】図５は、バッテリレス周辺装置の他の例を示す図である。
【図６】図６は、パッケージメモリ装置の回路図である。
【図７】図７は、スマートフォンとパッケージメモリ装置との間のやりとりを示すフローチャート（メモリ書込持）である。
【図８】図８は、スマートフォンとパッケージメモリ装置との間のやりとりを示すフローチャート（メモリ読出持）である。
【図９】図９は、スマートフォンとゲーム機との間におけるデータ交換の応用例を示す図である。
【図１０】図１０は、無線リーダ／ライタ装置の回路図である。
【図１１】図１１は、スマートフォンと無線式カード・リーダ／ライタ装置とのやりとりを示すフローチャートである。
【図１２】図１２は、各規格専用対応とする場合の説明図である。
【図１３】図１３は、両規格手動切替対応とする場合の説明図である。
【発明を実施するための形態】
【００４４】
以下に、本発明に係るバッテリレス周辺装置の好適な実施の一形態を添付図面を参照しながら詳細に説明する。
【００４５】
本発明に係るバッテリレス周辺装置は、スマートフォンや家庭用ゲーム機などの４極フォーンジャックを有する電子機器を主装置としたとき、当該主装置から電源供給されて動作する装置であって、
第１のサウンド信号を受け取るための第1のプラグ電極と、
第２のサウンド信号を受け取るための第２のプラグ電極と、
いずれか一方が、バイアス電圧の受け取りと第３のサウンド信号の送り出しのための共用プラグ電極となり、他方がグランド電位を受け取るためのプラグ電極となる、第３及び第４の２つのプラグ電極と、を有する４極フォーンプラグと、
前記４極フォーンプラグの前記第３及び第４のプラグ電極を介して前記主装置側から供給される前記バイアス電圧を利用して動作し、前記第１のプラグ電極、及び／又は、前記第２のプラグ電極へ通ずるサウンド信号入力ライン、及び／又は、前記共用プラグ電極に通ずるサウンド信号出力ラインを利用することにより、前記周辺装置としての所定の機能を実現する周辺機能実現部と、を包含することを特徴とするものである。
【００４６】
＜主装置側の入出力回路について＞
本発明のバッテリレス周辺装置が適用される主装置としては、スマートフォンや各種の家庭用ゲーム機等の４極フォーンジャックを有する種々の装置が考えられる。以下、これらの装置の中で、代表的な装置であるスマートフォンを例にとり、その入出力回路の一例について概説する。
【００４７】
スマートフォンのサウンド入出力回路の概略構成図が、図１に示されている。当業者にはよく知られているように、この種の４極フォーンジャックＪには、ＣＴＩＡ規格のもの（同図（ａ）参照）とＯＭＰＴ規格のもの（同図（ｂ）参照）とが知られている。ＣＴＩＡ規格の４極フォーンジャックＪは、例えば、ａｎｄｒｏｉｄ（登録商標）系スマートフォン等に多く採用される一方、ＯＭＰＴ規格の４極フォーンジャックＪは、ｉｏｓ（登録商標）系スマートフォン等に多く採用される。いずれの規格の４極フォーンジャックもハードウエア構成は基本的に同一であり、挿入口の奥部から入口部へ向けて４個のジャック電極Ｊ１，Ｊ２，Ｊ３，Ｊ４を有する。
【００４８】
第１及び第２のジャック電極Ｊ１，Ｊ２には、いずれの規格の４極フォーンジャックにあっても、同図（ａ）及び同図（ｂ）に示されるように、スマートフォン内蔵のプロセッサの図示しない２つのアナログ出力ポートから出力される２系統のサウンド信号が、アンプＡ１，Ａ２をそれぞれ介して供給される。
【００４９】
ここで、２系統のサウンド信号の内容は、楽音再生モードの場合とデータ送信モードの場合とで異なる。すなわち、楽音再生モードの場合には、２系統のサウンド信号の内容は、左右のチャネルのオーディオ信号そのものとなるのに対して、データ送信モードの場合には、送信データによりキャリア（例えば、オーディオ周波数又はその近辺の周波数を有する正弦は交流信号など）を所定の変調方式（例えば、周波数変調方式、位相変調方式、振幅変調方式など）により変調してなる変調データ信号となる。
【００５０】
第３及び第４のジャック電極Ｊ３，Ｊ４に供給される信号の内容は、ＣＴＩＡ規格の場合とＯＭＰＴ規格の場合とで異なる。
【００５１】
すなわち、ＣＴＩＡ規格の場合、同図（ａ）に示されるように、第３のジャック電極Ｊ３には、ＧＮＤ電位が供給される一方、第４のジャック電極Ｊ４は、図示しないコンデンサマイク（正確には、インピーダンス変換用のＦＥＴを内蔵する２線式のエレクトレットコンデンサマイクユニット：ＥＣＭユニット）へのバイアス電圧の供給と当該コンデンサマイクからのサウンド信号の入力とに共用される。
【００５２】
より具体的には、同図（ａ）に示されるように、電源電圧ＶＣＣは抵抗Ｒ０１を経由したのち、図示しないコンデンサマイクのバイアス電圧として第４のジャック電極Ｊ４へと供給される。同時に、図示しないコンデンサマイクからのサウンド信号は、第４のジャック電極Ｊ４から取り込まれたのち、結合コンデンサＣ０１及びアンプＡ３を経由したのち、スマートフォン内蔵のプロセッサの図示しないアナログ入力ポート（Ａ／Ｄ変換器経由）へと供給される。一方、第３のジャック電極Ｊ３は、ＧＮＤへと接続される。
【００５３】
これに対して、ＯＭＰＴ規格の場合、同図（ｂ）に示されるように、第４のジャック電極Ｊ４には、ＧＮＤ電位が供給される一方、第３のジャック電極Ｊ４は、図示しないコンデンサマイク（正確には、インピーダンス変換用のＦＥＴを内蔵する２線式のエレクトレットコンデンサマイクユニット：ＥＣＭユニット）へのバイアス電圧の供給と当該コンデンサマイクからのサウンド信号の入力とに共用される。
【００５４】
より具体的には、同図（ｂ）に示されるように、電源電圧ＶＣＣは抵抗Ｒ０１を経由したのち、図示しないコンデンサマイクのバイアス電圧として第４のジャック電極Ｊ３へと供給される。同時に、図示しないコンデンサマイクからのサウンド信号は、第３のジャック電極Ｊ３から取り込まれたのち、結合コンデンサＣ０１及びアンプＡ３を経由したのち、スマートフォン内蔵のプロセッサの図示しないアナログ入力ポート（Ａ／Ｄ変換器経由）へと供給される。一方、第４のジャック電極Ｊ４は、ＧＮＤへと接続される。
【００５５】
このように、ＣＴＩＡ規格とＯＭＰＴ規格とでは、第３のジャック電極Ｊ３及び第４のジャック電極Ｊ４の意味付けが正反対となるため、これから説明するバッテリレス周辺装置にあっては、いずれかの規格の専用機とするか、それとも双方の規格の兼用機とするかに応じて、適切な配慮が必要となる。
【００５６】
＜点滅ランプ付きイヤフォーン装置について＞
本発明に係るバッテリレス周辺装置の一実施形態である点滅ランプ付きイヤフォーン装置について説明する。
【００５７】
１．外観構成について
点滅ランプ付イヤフォーン装置の外観図が、図２に示されている。同図に示されるように、このイヤフォーン装置１は、回路部品等が内蔵されるケース１１と、ケース１１から延びる右側イヤフォーンコード１２Ｒ及び左側イヤフォーンコード１２Ｌと、それらのイヤフォーンコードの先端に取り付けられた右側イヤフォーンスピーカ１３Ｒ及び左側イヤフォーンスピーカ１３Ｌと、それらにイヤフォーンスピーカに付設された右側ＬＥＤランプ１４Ｒ及び左側ＬＥＤランプ１４Ｌとを有する。
【００５８】
後述するように、右側イヤフォーンコード１２Ｒには、右側のサウンド信号ラインとなる電線と右側のランプ駆動ラインとなる電線が含まれている。同様にして、左側イヤフォーンコード１２Ｌには、左側のサウンド信号ラインとなる電線と左側のランプ駆動ラインとなる電線が含まれている。
【００５９】
ケース１１には、４極フォーンプラグＰがケースから突き出る状態で一体的に固定されている。この４極フォーンプラグＰには、その先端部から根元部に向けて、第１のプラグ電極Ｐ１と、第２のプラグ電極Ｐ３と、第３のプラグ電極Ｐ４とが配置されている。
【００６０】
４極フォーンプラグＰを４極フォーンジャックＪにしっかりと差し込むと、第１のプラグ電極Ｐ１は第１のジャック電極Ｊ１に、第２のプラグ電極Ｐ２は第２のジャック電極Ｊ２に、第３のプラグ電極Ｐ３は第３のジャック電極Ｊ３に、第４のプラグ電極Ｐ４は第４のジャック電極Ｊ１に、それぞれ導通する。
【００６１】
２．回路構成について
ａ．全体の概略
点滅ランプ付イヤフォン装置の回路図が、図３に示されている。同図に示されるように、点滅ランプ付イヤフォン装置の回路部は、右側のイヤフォーンスピーカ１３Ｒと、左側のイヤフォーンスピーカ１３Ｌと、右側のイヤフォーンスピーカ１３Ｒに付設された右側ＬＥＤランプ１４Ｒと、左側のイヤフォーンスピーカ１３Ｌに付設された左側ＬＥＤランプ１４Ｌと、切替部１５と、周辺機能実現部１６とから概略構成されている。
【００６２】
第１のプラグ電極Ｐ１は、抵抗Ｒ１を経由する下りの第１サウンド信号ライン７１を介して、右側のイヤフォーンスピーカ１３Ｒの一端に、第２のプラグ電極Ｐ２は、抵抗Ｒ２を経由する下りの第２サウンド信号ライン７２を介して、左側のイヤフォーンスピーカ１３Ｌに、それぞれ接続されている。一方、右側及び左側のイヤフォーンスピーカ１３Ｒ，１３Ｌの各他端は共通ライン７３を経て戻され、さらに、２本に分岐されたのち、それぞれ結合コンデンサＣ６，Ｃ７を経て、第３のプラグ電極Ｐ３、第４のプラグ電極Ｐ４へと接続されている。なお、図において、抵抗Ｒ５は、コンデンサマイク相当の負荷が第３のプラグ電極Ｐ３又は第４のプラグ電極Ｐ４のいずれかに接続されていることをスマートフォン側に認識させるためのものである。
【００６３】
ｂ．切替部の構成
切替部１５は、この例にあっては、本装置１を、ＣＴＩＡ規格の４極フォーンジャックとＯＭＰＴ規格の４極フォーンジャックとの双方に対応可能とするためのもので、具体的には、４個のダイオードＤ１〜Ｄ４を用いたダイオードブリッジ回路（所謂全波整流回路）により構成されいる。
【００６４】
本装置１の４極フォーンプラグＰがＣＴＩＡ規格の４極フォーンジャックＪに差し込まれると、第３のプラグ電極Ｐ３には所定の低側電位（ＧＮＤ）が、第４のプラグ電極Ｐ４には所定の高側電位（ＶＣＣ）が、それぞれ現れる。すると、第４のプラグ電極Ｐ４→ダイオードＤ３→周辺機能実現部１６の高電位側入力端６１の順に流れる電流路が形成されて、高電位側入力端６１には所定の高側電位（ＶＣＣ−ＶＢＥ）（ＶＢＥはダイオードＤ３の順方向降下電圧（例えば、約０．６Ｖ））が現れる。同時に、周辺機能実現部１６の低電位側入力端６２→ダイオードＤ２→第３のプラグ電極Ｐ３の順に流れる電流路が形成されて、低電位側入力端６２には所定の低側電位（ＧＮＤ＋ＶＢＥ）（ＶＢＥはダイオードＤ２の順方向降下電圧）が現れる。
【００６５】
本装置１の４極フォーンプラグＰがＯＭＰＴ規格の４極フォーンジャックＪに差し込まれると、第３のプラグ電極Ｐ３には所定の高側電位（ＶＣＣ）が、第４のプラグ電極Ｐ４には所定の低側電位（ＧＮＤ）が、それぞれ現れる。すると、第３のプラグ電極Ｐ３→ダイオードＤ４→周辺機能実現部１６の高電位側入力端６１の順に流れる電流路が形成されて、高電位側入力端６１には所定の高電位（ＶＣＣ−ＶＢＥ）（ＶＢＥはダイオードＤ３の順方向降下電圧）が現れる。同時に、周辺機能実現部１６の低電位側入力端６２→ダイオードＤ１→第４のプラグ電極Ｐ４の順に流れる電流路が形成されて、低電位側入力端６２には所定の低電位（ＧＮＤ＋ＶＢＥ）（ＶＢＥはダイオードＤ２の順方向降下電圧）が現れる。
【００６６】
したがって、スマートフォン側の４極フォーンジャックＪの規格が、ＣＴＩＡ規格かＯＭＰＴ規格かに拘わらず、高電位側入力端６１には所定の高電位（ＶＣＣ−ＶＢＥ）が、低電位側入力端６２には所定の低電位（ＧＮＤ）が現れる。したがって、今仮に、ＶＣＣ＝２．７Ｖ、ＧＮＤ＝０Ｖとすると、周辺機能実現部１６の高電位側入力端６１と低電位側入力端６２との間には、直流電源電圧として機能する電位差１．５Ｖ（＝２．７−０．６×２）が得られることとなる。
【００６７】
ｃ．周辺機能実現部の構成
周辺機能実現部１６は、電源生成部と、増幅回路１６Ａと、二値・低域化回路１６Ｂと、昇圧回路１６Ｃとから概略構成されている。
【００６８】
電源生成部は、この例にあっては、負荷変動に対して電源電圧を安定化されるためのコンデンサＣ４を含んで構成されている。これにより、スイッチング動作による負荷の変動に起因する電源電圧の変動が抑制される。
【００６９】
増幅回路１６Ａは、下り２本のサウンド信号ライン７１，７２から抵抗Ｒ６，Ｒ７を介して取り出されたのち、結合コンデンサＣ２を介して抽出された合成サウンド信号を増幅するもので、この例にあっては、ＮＰＮ型トランジスタＱ１と、コレクタ抵抗Ｒ３と、コレクタ・エミッタ間帰還抵抗Ｒ８とを備えたエミッタ接地型増幅回路により構成されている。
【００７０】
二値・低域化回路１６Ｂは、増幅回路１６Ａで増幅されたのち、結合コンデンサＣ１を介して抽出された合成サウンド信号を基準値と比較して二値化すると共に、その所定低域成分（例えば、人の目に点滅と認識できる程度の低周波成分）を出力するもので、この例にあっては、ＰＮＰ型トランジスタＱ２と、低域フィルタとして機能するコレクタ側のコンデンサＣ５と、バイアス抵抗Ｒ４とを備えたコレクタ接地型増幅回路により構成されている。
【００７１】
昇圧回路１６Ｃは、二値・低域化回路１６Ｂで二値化及び低域化された合成サウンド信号を共振回路を利用して昇圧すると共に、昇圧された合成サウンド信号を右側及び左側のＬＥＤランプ１４Ｒ、１４Ｌの直列体に印加することで、ＬＥＤのしきい値電圧を利用して、右側及び左側のＬＥＤランプ１４Ｒ，１４Ｌを、サウンドの強弱に応じかつ人の目に点滅と認識できるような間隔で駆動するもので、この例にあっては、ＮＰＮ型トランジスタＱ３と、複数の共振要素（インダクタンスＬ１，Ｌ２、コンデンサＣ３）及び抵抗Ｒ９を含んだエミッタ接地型増幅回路により構成されている。
【００７２】
３．スマートフォン側の楽音再生処理について
スマートフォン側の楽音再生処理を示すフローチャートが、図４に示されている。なお、同図に示される処理に相当するアプリケーションプログラムは、通常、購入当初からスマートフォンにインストールされているが、例えば、通信機能を利用して、インターネットからダウンロードすることで、家庭用ゲーム機などの電子装置にもインストールすることができる。
【００７３】
同図において、処理が開始されると、先ず、インターネットからダウンロードしてメモリに記憶された複数楽曲の楽音データの１つが、スマートフォンにおける所定の選択操作を介して選択されたのち（ステップ１０１）、続いて、当該楽曲の演奏開始を待機する状態となる（ステップ１０２、ステップ１０３ＮＯ）。
【００７４】
この状態において、スマートフォンにおける所定操作によって、当該楽曲の演奏開始が指示されると（ステップ１０３ＹＥＳ）、以後、所定の楽音サンプルタイミングが到来して（ステップ１０８ＹＥＳ）、読み出しデータ指定のためのポインタがインクリメントされる毎に（ステップ１０９）、各サンプルタイミングにおける左右楽音の時分割瞬時値に相当する左右一対の楽音データのメモリからの読み出し処理（ステップ１０４，１０６）及びＤ／Ａ変換処理（ステップ１０５，１０７）が、演奏終了に至るまで（ステップ１１０ＹＥＳ）、繰り返される。その結果、スマートフォン側の４極フォーンジャックＪの第１のジャック電極Ｊ１には右側サウンド信号が、第２のジャック電極Ｊ２には左側サウンド信号が現れる（図１参照）。
【００７５】
４．点滅ランプ付イヤフォ−ン装置の作用について
以上説明したイヤフォ−ン装置１によれば、装置１側の４極フォーンプラグＰをスマートフォン側の４極フォーンジャックＪにしっかりと差し込んだのち、スマートフォン側にて所定の楽音再生処理に相当するアプリケーションプログラム（図４参照）を実行させれば、第１のプラグ電極Ｐ１に通ずる第１のサウンド信号ライン７１にはステレオ右チャネルのサウンド信号が、第２のプラグ電極Ｐ２に通ずる第２のサウンド信号ライン７２にはステレオ左チャネルのサウンド信号が現れるから、右側のイヤフォーンスピーカ１３Ｒ及び左側のイヤフォーンスピーカ１３Ｌを利用することで、ユーザはステレオサウンドを楽しむことができる。同時に、右側及び左側のイヤフォーンスピーカ１３Ｒ，１３Ｌに付設されたＬＥＤランプ１４Ｒ，１４Ｌは、右側と左側との合成サウンドの強弱に応じて点滅するから、これを周囲から見れば、斬新な意匠性乃至ファッション性を呈することとなる。殊に、図示の回路にあっては、合成サウンドの微細な強弱ではなく、サウンド全体から見たより大きな抑揚のピークに感応して点灯することから、点滅の間隔が比較的に長く、これにより患者をして明確に点滅を認識させることができる。
【００７６】
＜バッテリレス周辺装置の他の例について＞
本発明に係るバッテリレス周辺装置は、第３のプラグ電極Ｐ３と第４のプラグ電極Ｐ４とを介して得られるバイアス電圧を利用して動作するものであるから、下り２本のサウンド信号ライン７１，７２を自由に活用できると共に、第３のプラグ電極Ｐ３は双方向性であることから、上り１本のサウンド信号ライン８（図６、図１０参照）も必要に応じて活用することできる。したがって、本発明にあっては、それらの信号ライン７１，７２，８を適宜に活用することで、様々な機能を有するバッテリレス周辺装置を実現することができる。
【００７７】
＜パッケージメモリ装置について＞
本発明に係るバッテリレス周辺装置の他の実施形態であるパッケージメモリ装置について説明する。
【００７８】
１．外観構成について
バッテリレス周辺装置の他の例を示す図が、図５に示されている。同図（ａ）に示されるように、パッケージメモリ装置２は、回路部品等が収容される所謂ＵＳＢメモリ装置の本体部に類似のケース２１を有する。
【００７９】
ケース２１には、４極フォーンプラグＰがケースから突き出る状態で一体的に固定されている。この４極フォーンプラグＰには、その先端部から根元部に向けて、第１のプラグ電極Ｐ１と、第２のプラグ電極Ｐ３と、第３のプラグ電極Ｐ４とが配置されている。
【００８０】
４極フォーンプラグＰを４極フォーンジャックＪにしっかりと差し込むと、第１のプラグ電極Ｐ１は第１のジャック電極Ｊ１に、第２のプラグ電極Ｐ２は第２のジャック電極Ｊ２に、第３のプラグ電極Ｐ３は第３のジャック電極Ｊ３に、第４のプラグ電極Ｐ４は第４のジャック電極Ｊ１に、それぞれ導通する。
【００８１】
２．回路構成について
パッケージメモリ装置の回路図が、図６に示されている。同図に示されるように、パッケージメモリの装置２の回路部は、切替部１５と周辺機能実現部２７とを主体として構成されている。
【００８２】
切替部１５の構成は、先に図３を参照して説明したものと同様であって、スマートフォン側の４極フォーンジャックＪの規格が、ＣＴＩＡ規格かＯＭＰＴ規格かに拘わらず、高電位側入力端６１には所定の高電位（ＶＣＣ−ＶＢＥ）が、低電位側入力端６２には所定の低電位（ＧＮＤ）が現れる。したがって、今仮に、ＶＣＣ＝２．７Ｖ、ＧＮＤ＝０Ｖとすると、周辺機能実現部２７の高電位側入力端６１と低電位側入力端６２との間には、直流電源電圧として機能する電位差１．５Ｖ（＝２．７−０．６×２）が得られるように構成されている。
【００８３】
周辺機能実現部２７は、この例にあっては、コンデンサＣ４とレギュレータ（電圧安定化回路）２２とを含む電源生成部と、この電源生成部にて生成された直流電源を受けて動作する高密度集積回路（ＬＳＩ）であるシステム・オン・チップ（ＳｏＣ）とから構成されている。
【００８４】
この例にあっては、システム・オン・チップ（ＳｏＣ）は、入力バッファ２３とプロセッサ２４と出力バッファ２５とメモリ２６とを含んで構成されている。
【００８５】
入力バッファ２３は、第１のプラグ電極Ｐ１へと通ずる第１のサウンド信号ライン７１と第２のプラグ電極Ｐ２へと通ずる第２のサウンド信号ライン７２とからなる下り２本のサウンド信号ラインを介して到来する２系統のサウンド信号（変調サウンド信号）を受信するためのものである。
【００８６】
出力バッファ２５は、第３のプラグ電極Ｐ３及び第４のプラグ電極Ｐ４に通ずる上り１本のサウンド信号ライン８へと１系統のサウンド信号（変調サウンド信号）を送り出すためのものである。
【００８７】
メモリ２６は、この例では、不揮発性の読み書き可能な半導体メモリ（例えば、フラッシュメモリ等々）にて構成されており、スマートフォン側から送られてくるデータを格納するものである。
【００８８】
プロセッサ２４は、入力バッファ２３を介して受信されたサウンド信号の復調処理、復調により取り出された指令の解読実行処理、メモリ２６に対するデータ書込処理、メモリ２６からのデータ読出処理、変調されたサウンド信号を出力バッファ２５への送出処理等々を実行するマイクロプロセッサである。なお、プロセッサ２４の動作については、図７及び図８を参照しつつ、のちに、詳細に説明する。
【００８９】
３．スマートフォンとパッケージメモリとのやりとりについて
ａ．メモリ書込時
スマートフォンとパッケージメモリとのやりとりを示すフローチャートが、図７に示されている。同図において、処理が開始されると、先ず、スマートフォン側では、下り２本のサウンド信号ラインに相当するスピーカライン（Ｌｃｈ／Ｒｃｈ）のいずれか一方を経由して、パッケージメモリ側へと、接続要求に相当する変調サウンド信号を送り出す（ステップ２０１）。
【００９０】
続いて、パッケージメモリ側では、受信復調した接続要求に基づいて所定の準備を行ったのち、上り１本のサウンド信号ラインに相当するマイクラインを経由して、スマートフォンへと、接続応答に相当する変調サウンド信号を送り出す（ステップ２１２）。
【００９１】
続いて、スマートフォンの側では、接続応答を受信したのち（ステップ２０２）、下り２本のサウンド信号ラインに相当するスピーカライン（Ｌｃｈ／Ｒｃｈ）のいずれかを経由して、パッケージメモリ側へと、書込コマンドに相当する変調サウンド信号を送り出す（ステップ２０３）。パッケージメモリの側では、受信復調した書込コマンドに基づいて所定の書込準備を行う（ステップ２１３）。
【００９２】
続いて、スマートフォンの側では、下り２本のサウンド信号ラインに相当するスピーカライン（Ｌｃｈ，Ｒｃｈ）の双方を経由して、パッケージメモリ側へと、一連の書込データに相当する変調サウンド信号を送り出す（ステップ２０４）。パッケージメモリの側では、受信した変調サウンド信号を復調して一連の書込データを再生し（ステップ２１４）、これらをメモリ２６へと順次に書き込み（ステップ２１５）、その完了を待って、上り１本のサウンド信号ラインに相当するマイクラインを経由して、スマートフォンへと、書込完了応答に相当する変調サウンド信号を送り出す（ステップ２１６）。
【００９３】
続いて、スマートフォンの側では、受信復調した書込完了応答に基づいて書込完了を確認したのち（ステップ２０５）、通信の接続を断ってから（ステップ２０６）、全ての処理を終了する。
【００９４】
以上説明したメモリ書込時の処理によれば、上り２本のサウンド信号ラインであるスピーカライン（Ｌｃｈ，Ｒｃｈ）の双方を経由して、パッケージメモリ側へと、一連の書込データに相当する変調サウンド信号を送り出すことから（ステップ２０４）、１本のサウンド信号ラインに依存する場合に比べて、伝送速度を約２倍とすることで、実質的な書込所要時間を大幅に短縮することができる。
【００９５】
ｂ．メモリ読出時
スマートフォンとパッケージメモリとのやりとりを示すフローチャートが、図８に示されている。同図において、処理が開始されると、先ず、スマートフォン側では、下り２本のサウンド信号ラインに相当するスピーカライン（Ｌｃｈ／Ｒｃｈ）のいずれか一方を経由して、パッケージメモリ側へと、接続要求に相当する変調サウンド信号を送り出す（ステップ２２１）。
【００９６】
続いて、パッケージメモリ側では、受信復調した接続要求に基づいて所定の準備を行ったのち、上り１本のサウンド信号ラインに相当するマイクラインを経由して、スマートフォンへと、接続応答に相当する変調サウンド信号を送り出す（ステップ２３２）。
【００９７】
続いて、スマートフォンの側では、接続応答を受信したのち（ステップ２２２）、下り２本のサウンド信号ラインに相当するスピーカライン（Ｌｃｈ／Ｒｃｈ）のいずれかを経由して、パッケージメモリ側へと、読出コマンドに相当する変調サウンド信号を送り出す（ステップ２２３）。
【００９８】
続いて、パッケージメモリの側では、受信復調した読出コマンドに基づいて所定の読出準備を行ったのち（ステップ２３３）、読出コマンドにて指定された一連のデータをメモリ２６から読み出すと共に、上り１本のサウンド信号ラインに相当するマイクラインを経由して、スマートフォンへと、読み出しされたデータに相当する変調サウンド信号を送り出し（ステップ２３６）、読出完了を待って、読出完了応答に相当する変調サウンド信号を送り出す（ステップ２３６）。
【００９９】
一方、スマートフォンの側では、パッケージメモリ装置側から送られてくる変調サウンド信号を受信復調して読出データを再生すると共に（ステップ２２４）、それらの読出データを所定のメモリに格納し（ステップ２２５）、読出完了応答が受信復調されるのを待って（ステップ２２６）、通信接続を断って（ステップ２２７）、処理を終了する。
【０１００】
４．パッケージメモリ装置の用途について
スマートフォンとゲーム機との間におけるデータ交換への応用例を示す図が、図９に示されている。本発明に係るパッケージメモリ装置２は、４極フォーンジャックＪを有する電子機器である限り、スマートフォンであろうと、いずれの形式の家庭用ゲーム機であろうと、図７及び図８のフローチャートに示されるアプリケーションプログラムを例えばネットからダウンロードして組み込む限り、適用が可能である。そのため、図９（ａ）〜（ｂ）に示されるように、スマートフォンと家庭用ゲーム機同士、あるいは、家庭用ゲーム機同士の間で、各種のデジタル情報の交換や移植に広く応用が可能である。
【０１０１】
＜無線式カード・リーダ／ライタ装置＞
本発明に係るバッテリレス周辺装置の他の実施形態である無線式カード・リーダ／ライタ装置について説明する。
【０１０２】
１．外観構成について
バッテリレス周辺装置の他の例を示す図が、図５に示されている。同図（ｂ）に示されるように、無線式カード・リーダ／ライタ装置３は、回路部品等が収容されるケース３１を有し、電磁波を介して、無線式カード４に対するデータの書込および読出が可能とされている。
【０１０３】
ケース３１には、４極フォーンプラグＰがケースから突き出る状態で一体的に固定されている。この４極フォーンプラグＰには、その先端部から根元部に向けて、第１のプラグ電極Ｐ１と、第２のプラグ電極Ｐ３と、第３のプラグ電極Ｐ４とが配置されている。
【０１０４】
４極フォーンプラグＰを４極フォーンジャックＪにしっかりと差し込むと、第１のプラグ電極Ｐ１は第１のジャック電極Ｊ１に、第２のプラグ電極Ｐ２は第２のジャック電極Ｊ２に、第３のプラグ電極Ｐ３は第３のジャック電極Ｊ３に、第４のプラグ電極Ｐ４は第４のジャック電極Ｊ１に、それぞれ導通する。
【０１０５】
２．回路構成について
無線式カード・リーダ／ライタ装置の回路図が、図１０に示されている。同図に示されるように、無線式カード・リーダ／ライタ装置３の回路部は、切替部１５と周辺機能実現部３７とを主体として構成されている。
【０１０６】
切替部１５の構成は、先に図３を参照して説明したものと同様であって、スマートフォン側の４極フォーンジャックＪの規格が、ＣＴＩＡ規格かＯＭＰＴ規格かに拘わらず、高電位側入力端６１には所定の高電位（ＶＣＣ−ＶＢＥ）が、低電位側入力端６２には所定の低電位（ＧＮＤ）が現れる。したがって、今仮に、ＶＣＣ＝２．７Ｖ、ＧＮＤ＝０Ｖとすると、周辺機能実現部２７の高電位側入力端６１と低電位側入力端６２との間には、直流電源電圧として機能する電位差１．５Ｖ（＝２．７−０．６×２）が得られるように構成されている。
【０１０７】
周辺機能実現部３７は、この例にあっては、コンデンサＣ４とレギュレータ（電圧安定化回路）３２とを含む電源生成部と、この電源生成部にて生成された直流電源を受けて動作する高密度集積回路（ＬＳＩ）であるシステム・オン・チップ（ＳｏＣ）と、同様に電源生成部にて生成された直流電源を受けて動作が可能であって、無線による読み書きの可能なＩＣメモリを内蔵する公知の無線カード４に対する電磁波を介する読み書きを行うための無線送受信部３６とから構成されている。
【０１０８】
システム・オン・チップ（ＳｏＣ）は、この例にあっては、入力バッファ３３とプロセッサ３４と出力バッファ３５とを含んで構成されている。
【０１０９】
入力バッファ３３は、第１のプラグ電極Ｐ１へと通ずる第１のサウンド信号ライン７１と第２のプラグ電極Ｐ２へと通ずる第２のサウンド信号ライン７２とからなる下り２本のサウンド信号ラインを介して到来する２系統のサウンド信号（変調サウンド信号）を受信するためのものである。
【０１１０】
出力バッファ３５は、第３のプラグ電極Ｐ３及び第４のプラグ電極Ｐ４に通ずる上り１本のサウンド信号ライン８へと１系統のサウンド信号（変調サウンド信号）を送り出すためのものである。
【０１１１】
プロセッサ３４は、入力バッファ３３を介して受信されたサウンド信号の復調処理、復調により取り出された指令の解読実行処理、無線送受信部３６を介する無線式カード４に対するデータ書込処理、無線送受信部３６を介する無線式カード４からのデータ読出処理、変調されたサウンド信号を出力バッファ２５への送出する処理等々を実行するマイクロプロセッサである。なお、プロセッサ２４の動作については、図１１を参照しつつ、のちに、詳細に説明する。
【０１１２】
３．スマートフォンと無線式カード・リーダ／ライタ装置とのやりとりについて
スマートフォンとパッケージメモリとのやりとりを示すフローチャートが、図１１に示されている。同図において、処理が開始されると、先ず、スマートフォン側では、下り２本のサウンド信号ラインに相当するスピーカライン（Ｌｃｈ／Ｒｃｈ）のいずれか一方を経由して、無線式カード・リーダ／ライタ装置側へと、接続要求に相当する変調サウンド信号を送り出す（ステップ３０１）。
【０１１３】
続いて、無線式カード・リーダ／ライタ装置側では、受信復調した接続要求に基づいて所定の準備を行ったのち、上り１本のサウンド信号ラインに相当するマイクラインを経由して、スマートフォンへと、接続応答に相当する変調サウンド信号を送り出し（ステップ３１１）、さらに、無線式カード４の接近を待機し（ステップ３１３）、接近が検出されるのを待って（ステップ３１４）、無線式カード４との無線交信を行って、一連のデータの読み取りを行う（ステップ３１５）。続いて、上り１本のサウンド信号ラインに相当するマイクラインを経由して、スマートフォンへと、一連の読み取りデータに相当する変調サウンド信号を送信する（ステップ３１６）。
【０１１４】
続いて、スマートフォン側では、一連の読み取りデータに相当する変調サウンド信号を受信復調することにより、一連の読み取りデータを取得すると共に、それらの読み取りデータに対して所定の書換処理を行ったのち（ステップ３０４）、下り２本のサウンド信号ラインに相当するスピーカライン（Ｌｃｈ／Ｒｃｈ）のいずれか一方を経由して、無線式カード・リーダ／ライタ装置側へと、書込要求に相当する変調サウンド信号を送り出す（ステップ３０５）。
【０１１５】
続いて、スマートフォンの側では、下り２本のサウンド信号ラインに相当するスピーカライン（Ｌｃｈ，Ｒｃｈ）の双方を経由して、無線式カード・リーダ／ライタ装置側へと、一連の書換済みデータに相当する変調サウンド信号を送り出す（ステップ３０５）。
【０１１６】
続いて、無線式カード・リーダ／ライタ装置の側では、受信した変調サウンド信号を復調して一連の書換済みデータを再生し（ステップ３１８）、これらを無線式カード４へと順次に書き込み（ステップ３１９）、その完了を待って、上り１本のサウンド信号ラインに相当するマイクラインを経由して、スマートフォンへと、書込完了応答に相当する変調サウンド信号を送り出す（ステップ３２０）。
【０１１７】
続いて、スマートフォンの側では、受信復調した書込完了応答に基づいて書込完了を確認したのち（ステップ２０５）、処理を終了する。
【０１１８】
以上説明した処理によれば、上り２本のサウンド信号ラインであるスピーカライン（Ｌｃｈ，Ｒｃｈ）の双方を経由して、無線式カード・リーダ／ライタ装置側へと、一連の書換済みデータに相当する変調サウンド信号を送り出すことから（ステップ２０４）、１本のサウンド信号ラインに依存する場合に比べて、伝送速度を約２倍とすることで、実質的な無線カード書換所要時間を大幅に短縮し、書換ミスを低減することができる。
【０１１９】
＜４極フォーンジャックの規格への対応について＞
上述した本発明のバッテリレス周辺装置の各実施形態においては、いずれも、ＣＴＩＡ規格とＯＭＰＴ規格の双方の４極フォーンジャックに対応可能な兼用構成としたが、本発明に係るバッテリレス周辺装置の対応規格はこれに限定されるものではない。
【０１２０】
１．いずれかの規格専用とする場合
各規格専用対応とする場合の説明図が、図１２に示されている。同図（ａ）に示されるように、ＣＴＩＡ規格対応の専用機とする場合、第３のプラグ電極Ｐ３は周辺機能実現部の低電位側入力端６２へ、また第４のプラグ電極Ｐ４は高電位側入力端６１へと導通するように構成すればよい。同図（ｂ）に示されるように、ＯＭＰＴ規格対応の専用機とする場合、第３のプラグ電極Ｐ３は周辺機能実現部の高電位側入力端６１へ、また第４のプラグ電極Ｐ４は低電位側入力端６２へと導通するように構成すればよい。
【０１２１】
２．手動切替により双方の規格に兼用とする場合
両規格手動切替対応とする場合の説明図が、図１３に示されている。同図に示されるように、この例にあっては、手動切替可能な切替部５を有することで、ＣＴＩＡ規格とＯＭＰＴ規格との双方の４極フォーンジャックに対応可能としている。
【０１２２】
切替部５は、それぞれａ側とｂ側とに択一的に切替可能な２つの単極双投（ＳＰＤＴ）型接点５１，５２を有する。それらの接点５１，５２は、図示しないスライド操作子の動きに連動して、ａ側とｂ側とに択一的に接続するように構成される。
【０１２３】
接点５１，５２がａ側に接続されると、第３のプラグ電極Ｐ３は周辺機能実現部の低電位側入力端６２へ、また第４のプラグ電極Ｐ４は高電位側入力端６１へと導通する。逆に、接点５１，５２がｂ側に接続されると、第３のプラグ電極Ｐ３は周辺機能実現部の高電位側入力端６１へ、また第４のプラグ電極Ｐ４は低電位側入力端６２へと導通する。
【０１２４】
この手動切替可能な切替部５によれば、主装置側の４極フォーンジャックＪの規格に応じて、手動で切り替える手間がかかるものの、ブリッジダイオードにて実現する場合のような電圧降下（ＶＢＥ）が存在しない分、主装置側から供給されるバイアス電圧（約２．７Ｖ）の利用効率が高いという利点がある。
【０１２５】
＜電源生成部の構成について＞
上述した各実施形態においては、電源生成部として、コンデンサ（Ｃ４）やレギュレータ（２２，３２）を採用したが、これらに代えて又はこれらとともに、適宜なＤＣ／ＤＣコンバータを含めて、負荷回路の特性に応じた昇圧を行ってもよいことは勿論である。
【０１２６】
＜「４極」の語について＞
上述した各実施形態においては、４極フォーンジャックと４極フォーンプラグとを有する例を示したが、本発明の適用は、下り２本のサウンド信号ラインと上り１本のサウンド信号ラインのほかに、さらに、他の任意の専用ラインを有する「５極」や「６極」の構成にもそのまま適用が可能である。したがって、本発明に言う「４極」とは、「少なくとも４つの電極を有する」の意味に解すべきことは言うまでもないことであります。
【産業上の利用可能性】
【０１２７】
本発明によれば、動作に必要な電力をスマートフォンに代表される主装置から受け取りつつも、下り２本のサウンド信号ラインの双方を電力伝送以外の用途に自由に活用すると共に、必要により、上り１本のサウンド信号ラインも活用可能とすることで、より応答性の改善された周辺装置を実現可能とした、４極フォーンジャック付きのバッテリレス周辺装置を提供することができる。
【符号の説明】
【０１２８】
１      点滅ランプ付きイヤフォ−ン装置
２      パッケージメモリ装置
３      無線式カード・リーダ／ライタ装置
４      無線式カード
５      切替部（手動切替式）
１１    ケース
１２Ｒ  右側イヤフォーンコード
１２Ｌ  左側イヤフォーンコード
１３Ｒ  右側イヤフォ−ンスピーカ
１３Ｌ  左側イヤフォ−ンスピーカ
１４Ｒ  右側のＬＥＤランプ
１４Ｒ  左側のＬＥＤランプ
１５    切替部
１６    周辺機能実現部
１６Ａ  増幅部
１６Ｂ  二値・低域化部
１６Ｃ  昇圧部
２１    ケース
２２    レギュレータ
２３    入力バッファ
２４    プロセッサ
２５    出力バッファ
２６    メモリ
２７    周辺機能実現部
３１    ケース
３２    レギュレータ
３３    入力バッファ
３４    プロセッサ
３５    出力バッファ
３６    無線送受信部
３７    周辺機能実現部
５１    第１の単極双投型接点
５２    第２の単極双投型接点
６１    高電位側入力端
６２    低電位側入力端
７１    下りの第１のサウンド信号ライン
７２    下りの第２のサウンド信号ライン
７３    共通ライン
８      上りのサウンド信号ライン
Ａ１〜Ａ３  アンプ
Ｒ０１  抵抗
Ｃ０１  コンデンサ
Ｊ      ４極フォーンジャック
Ｊ１    第１のジャック電極
Ｊ２    第２のジャック電極
Ｊ３    第３のジャック電極
Ｊ４    第４のジャック電極
Ｐ      ４極プラグ電極
Ｐ１    第１のプラグ電極
Ｐ２    第２のプラグ電極
Ｐ３    第３のプラグ電極
Ｐ４    第４のプラグ電極
Ｒ１〜Ｒ９  抵抗
Ｃ１〜Ｃ７  コンデンサ
Ｑ１〜Ｑ３  コンデンサ
ＳｏＣ  システム・オン・チップ
【図１】
2017225065.tif 000003
【図２】
2017225065.tif 000004
【図３】
2017225065.tif 000005
【図４】
2017225065.tif 000006
【図５】
2017225065.tif 000007
【図６】
2017225065.tif 000008
【図７】
2017225065.tif 000009
【図８】
2017225065.tif 000010
【図９】
2017225065.tif 000011
【図１０】
2017225065.tif 000012
【図１１】
2017225065.tif 000013
【図１２】
2017225065.tif 000014
【図１３】
2017225065.tif 000015